(57)【要約】【課題】簡単且つ容易に接触子を交換することができ、コネクタへの配設自由度の高い雄端子を提供する。【解決手段】雄端子１は、一端に端子結合部１３を有する基台部１０と、この基台部１０の端子結合部１３に螺合によって着脱可能に取り付けられる接続端子部２０を備える。接続端子部２０は、端子部本体２１の他端に開口する孔部２３の奥部に、接続端子部２０を基台部１０に着脱させるための治具と係合する係合部２４を有し、孔部２３には着脱可能なキャップ２９が装着される。【選択図】図１
2015162352.tif 000002
【特許請求の範囲】
【請求項１】
一端に端子結合部を有する基台部と、
この基台部の前記端子結合部に螺合によって着脱可能に取り付けられる接続端子部とを備えた雄端子において、
前記接続端子部は、先端に前記接続端子部を前記基台部に着脱させるための治具と係合する係合部を有し、前記係合部は着脱可能なキャップで覆われている
ことを特徴とする雄端子。
【請求項２】
前記キャップは、絶縁材からなる
ことを特徴とする請求項１記載の雄端子。
【請求項３】
前記基台部は、他端に電線が接続される電線接続部を有し、
前記端子結合部は、前記基台部の一端と他端とを結ぶ方向に沿って螺設された第１端子結合部を有する
ことを特徴とする請求項１又は２記載の雄端子。
【請求項４】
前記端子結合部は、前記基台部の一端と他端とを結ぶ方向と交差する方向に沿って螺設された第２端子結合部を有する
ことを特徴とする請求項３記載の雄端子。
【発明の詳細な説明】
【技術分野】
【０００１】
この発明は、コネクタ内に配設される雄端子に関する。
【背景技術】
【０００２】
電気自動車等のコネクタとして、例えば、下記特許文献１に開示されたコネクタが知られている。このコネクタに用いられる接続端子は、雄端子と雌端子とを接触バネ部材を介して接続する構造を備え、各端子の接触子が電線接続具を介して電線に交換可能に接続された構造を備えている。
【先行技術文献】
【特許文献】
【０００３】
【特許文献１】特開平１１−２１４０５９号公報
【発明の概要】
【発明が解決しようとする課題】
【０００４】
しかしながら、上記特許文献１に開示された従来技術のコネクタに用いられる接続端子では、異なる径の電線に対応した電線接続具を用意しておけば一種類の共通の接触子で種々の電線に交換することができ、例えば雌端子に合わせた雄端子を採用することができるとされているが、実際に接触子と電線接続具とを圧着してコネクタに配設した後では、接触子の交換の際には圧着された電線接続具を含めて電線やコネクタ全体を交換しなければならないため、作業性が悪くコストアップに繋がってしまうという問題がある。
【０００５】
この発明は、上述した従来技術による問題点を解消し、簡単且つ容易に接触子を交換することができ、コネクタへの配設自由度の高い雄端子を提供することを目的とする。
【課題を解決するための手段】
【０００６】
本発明に係る雄端子は、一端に端子結合部を有する基台部と、この基台部の前記端子結合部に螺合によって着脱可能に取り付けられる接続端子部を備えた雄端子において、前記接続端子部が、先端に前記接続端子部を前記基台部に着脱させるための治具と係合する係合部を有し、前記係合部は着脱可能なキャップで覆われていることを特徴とする。
【０００７】
本発明に係る雄端子によれば、接触子に相当する接続端子部だけを治具を用いて基台部に取り付け／取り外して交換することができるので、雄端子をコネクタに配設した後においても容易に接続端子部のみを交換することができ、電線やコネクタ全体を交換する場合と比べて作業性が良好であると共にコストを抑えることが可能となる。また、接続端子部の先端の係合部は着脱可能なキャップで覆われているので、係合部に塵や埃等が入り込むことによる不具合等も防止することができる。
【０００８】
本発明の一実施形態においては、前記キャップは、絶縁材からなる。これにより、メンテナンス時等に接続端子部に作業者の手が触れたとしても感電を確実に防止することができる。
【０００９】
本発明の他の実施形態においては、前記基台部は、他端に電線が接続される電線接続部を有し、前記端子結合部は、前記基台部の一端と他端とを結ぶ方向に沿って螺設された第１端子結合部を有する。
【００１０】
本発明の更に他の実施形態においては、前記端子結合部は、前記基台部の一端と他端とを結ぶ方向と交差する方向に沿って螺設された第２端子結合部を有する。これにより、接続端子部を基台部の第１端子結合部とは螺設方向が交差する第２端子結合部に螺合することができるので、雄端子を配設したコネクタ後方の電線配索スペースを省スペース化することができる。
【発明の効果】
【００１１】
本発明によれば、簡単且つ容易に接触子を交換することができ、コネクタへの配設自由度の高い雄端子を提供することができる。
【図面の簡単な説明】
【００１２】
【図１】本発明の第１の実施形態に係る雄端子を示す図である。
【図２】同雄端子の接続端子部の変形例を示す図である。
【図３】本発明の第２の実施形態に係る雄端子を一部断面で示す分解側面図である。
【図４】同雄端子が配設されたコネクタを示す斜視図である。
【図５】図４のＡ−Ａ’断面図である。
【図６】同雄端子が配設されたコネクタの他の例を示す断面図である。
【発明を実施するための形態】
【００１３】
以下、添付の図面を参照して、この発明の実施形態に係る雄端子を詳細に説明する。
【００１４】
図１は、本発明の第１の実施形態に係る雄端子を示す図で、図１（ａ）は雄端子の一部を断面で示す分解側面図、図１（ｂ）は接続端子部の正面図である。図１（ａ）に示すように、第１の実施形態に係る雄端子１は、例えば円筒状又は円柱状の基台部１０と、この基台部１０に螺合によって着脱されるピン状の接続端子部２０とを備える。
【００１５】
基台部１０は、ほぼ円柱状に形成された基台部本体１１と、この基台部本体１１の一端に形成された端子結合部１３と、基台部本体１１の他端に形成された電線接続部１２とを有する。電線接続部１２は、電線２の芯線３が装着される穴部からなり、かしめ等により電線２を結合する。端子結合部１３は雌螺子からなり、接続端子部２０が螺合される。
【００１６】
接続端子部２０は、雄端子１の接触子として機能し、基台部１０よりも小径の円柱状の端子部本体２１と、この端子部本体２１の一端に形成された螺子部２２と、端子部本体２１の他端に開口する孔部２３及びその奥部に続く係合部２４と、孔部２３に装着される樹脂などの絶縁材からなる感電防止用のキャップ２９とを備える。螺子部２２は基台部１０の端子結合部１３と螺合する。係合部２４は、図１（ｂ）に示すように、例えば孔部２３を開口側から見た場合に、六角形を形成するように配置された複数の壁面により構成され、治具として例えば六角レンチを係合させることができる。
【００１７】
なお、キャップ２９は、孔部２３に着脱可能に取り付けられている。キャップ２９を孔部２３に取り付けることにより、後述するコネクタに雄端子１を配設した後に、不用意に基台部本体２１に触れることによる感電等の事故を防止することができると共に、係合部２４が孔部２３を介して剥き出しとなることによる塵や埃等の係合部２４への入り込みによる不具合を防止することができる。
【００１８】
このように構成された雄端子１によれば、接続端子部２０の係合部２４に治具を係合した上で治具を接続端子部２０の中心軸を中心として回転操作することで、接続端子部２０の雄型の螺子部２２を基台部１０の端子結合部１３に螺合することができ、接続端子部２０を基台部１０に容易に着脱することができる。
【００１９】
接続端子部２０と基台部１０は螺合により接続されるので係合や圧入等による接続と比べて接続信頼性が高く、接続端子部２０が劣化や破損した場合には、雄端子１全体や電線２を含めた雄端子１を交換することなく接続端子部２０のみを容易に交換することができる。
【００２０】
すなわち、接続端子部２０だけを治具を用いて基台部１０に対して取り付け／取り外して交換することができるので、雄端子１をコネクタに配設した後であっても基台部１０や電線２を交換することなく容易に接続端子部２０のみを交換することができ、雄端子１全体と共に電線２やコネクタ全体を交換するような従来の場合と比べて作業性が格段に良好であると共にコストを抑えることができる。
【００２１】
図２は、雄端子１の接続端子部２０の変形例を示す図であり、図２（ａ）は正面図、図２（ｂ）は側面図である。図２（ａ）及び（ｂ）に示すように、接続端子部２０の係合部２４ａは、孔部２３の開口部周縁に形成された孔部２３と連続する一文字状の溝部からなるものであってもよい。この場合は、治具として例えばマイナスドライバーを用いることができる。その他、係合部は、治具としてのプラスドライバーの先端が係合可能な十文字状の溝により構成されたり、その他の形状の治具が係合可能な種々の形状を採用することができる。
【００２２】
図３は、本発明の第２の実施形態に係る雄端子を一部断面で示す分解側面図、図４は雄端子が配設されたコネクタを示す斜視図である。また、図５は、図４のＡ−Ａ’断面図、図６は、雄端子が配設されたコネクタの他の例を示す断面図である。第２の実施形態に係る雄端子１Ａは、基台部１０の端子結合部として第１端子結合部１３Ａと第２端子結合部１３Ｂとを有する点と、基台部１０と接続端子部２０との間に中間板部３０が設けられている点が、第１の実施形態に係る雄端子１と相違している。
【００２３】
図３〜図５に示すように、第２の実施形態に係る雄端子１Ａは、基台部１０において、基台部本体１１Ａの一端に基台部本体１１Ａと同軸の第１端子結合部１３Ａの他に、基台部本体１１Ａの軸心方向と交差する方向を軸方向とする第２端子結合部１３Ｂとを設けている。これら端子結合部１３Ａ，１３Ｂには、雌螺子が形成されている。接続端子部２０の螺子部２２は、第１及び第２端子結合部１３Ａ，１３Ｂのいずれにも螺合され得る。また、中間板部３０は、基台部１０及び接続端子部２０よりも大径で中心部に螺子穴３１が設けられた円板状に形成され、外周溝３２にＯリング３３が装着されて構成されている。
【００２４】
このように構成された雄端子１Ａは、図４及び図５に示すように、樹脂部材からなるコネクタ１００の端子収容穴１０１内に配設される。そして、接続端子部２０の螺子部２２が基台部１０の第１端子結合部１３Ａに螺合された場合は、基台部１０及び接続端子部２０と電線２とが同軸となるようにコネクタ１００に装着される。
【００２５】
中間板部３０は、コネクタ１００の端子収容穴１０１の内周壁面とＯリング３３とが接するようにコネクタに配置されるので、接続端子部２０側と基台部１０側とを水密に遮断する役割を担っている。なお、コネクタ１００の後部には、例えば雄端子１Ａの全体をカバーする図示しない樹脂製のハウジングが備えられ、外部から雄端子１Ａに触れることができないように構成されている。
【００２６】
一方、接続端子部２０の螺子部２２が基台部１０の第２端子結合部１３Ｂに螺合された場合は、図６に示すように、雄端子１Ａは、基台部１０の接続部本体１１Ａの軸心方向と接続端子部２０の端子部本体２１の軸心方向とが交差する状態でコネクタ１００に配設される。電線２の軸心方向は基台部１０の軸心方向と一致するため、コネクタ１００の後部における電線２の取り回しスペースを小さくすることができる。
【００２７】
このように、第２の実施形態に係る雄端子１Ａは、上記第１の実施形態に係る雄端子１と同様の作用効果を有する他に、防水性を備えることができると共に、電線２の取り回し方向を２方向に変更することができる。
【符号の説明】
【００２８】
１，１Ａ      雄端子
２            電線
３            芯線
１０          基台部
１１，１１Ａ  基台部本体
１２          電線接続部
１３          端子結合部
１３Ａ        第１端子結合部
１３Ｂ        第２端子結合部
２０          接続端子部
２１          端子部本体
２２          螺子部
２３          孔部
２４，２４ａ  係合部
２９          キャップ
３０          中間板部
３１          螺子穴
３２          外周溝
３３          Ｏリング
１００        コネクタ
１０１        端子収容穴
【図１】
2015162352.tif 000003
【図２】
2015162352.tif 000004
【図３】
2015162352.tif 000005
【図４】
2015162352.tif 000006
【図５】
2015162352.tif 000007
【図６】
2015162352.tif 000008